(57)【特許請求の範囲】
【請求項１】
光源から読取対象物に光を照射し、読取対象物からの反射光を撮像素子で受光することにより読取対象物を読み取り可能な読取装置であって、
複数の受光素子を読取対象物の読み取り面と平行な向きに並べた撮像素子を複数備え、当該複数の撮像素子は異なる位置に設置され、かつ、当該読み取り面と撮像素子が向く方向とがなす角度が、当該複数の撮像素子それぞれで異なり、
上記複数の撮像素子による読取値を比較することにより、読取対象物に表された画像の属性を判定する判定部を備え、
上記判定部は、複数の撮像素子のうち特定の正反射角に対応する角度で設置された特定撮像素子による読取値が特定撮像素子以外の撮像素子による読取値のうちの最大値より大きく、当該最大値と特定撮像素子による読取値との差が予め規定された差分値より大きく、特定撮像素子以外の撮像素子による読取値の差が所定範囲に収まらず、かつ、特定撮像素子以外の撮像素子による読取値は特定撮像素子とは逆側の隣に位置する他の撮像素子による読取値よりも大きい場合に、メタリック感を発現する画像と判定することを特徴とする読取装置。
【請求項２】
上記判定部は、上記画像の属性を画像の領域毎に判定することを特徴とする請求項１に記載の読取装置。
【請求項３】
上記判定部は、上記撮像素子の読取対象物の読み取りにより生成された画像データに、上記判定の結果を示す情報を付加することを特徴とする請求項１または請求項２に記載の読取装置。
【請求項４】
上記判定部は、特定撮像素子による読取値が特定撮像素子以外の撮像素子による読取値のうちの最大値より大きく、当該最大値と特定撮像素子による読取値との差が上記差分値より大きく、かつ、特定撮像素子以外の撮像素子による読取値の差が上記所定範囲に収まる場合には、光沢性を有する画像と判定することを特徴とする請求項１〜請求項３のいずれかに記載の読取装置。
【請求項５】
上記比較の結果、読取値に所定以上のばらつきがある場合に、所定の警告処理を実行する警告処理部を備えることを特徴とする請求項１〜請求項４のいずれかに記載の読取装置。
【請求項６】
光源から読取対象物に光を照射し、読取対象物からの反射光を撮像素子で受光することにより読取対象物を読み取り可能な読取装置が実行する読取方法であって、
複数の受光素子を読取対象物の読み取り面と平行な向きに並べた撮像素子を複数用いて読取対象物を読み取り、当該複数の撮像素子は異なる位置に設置され、かつ、当該読み取り面と撮像素子が向く方向とがなす角度が、当該複数の撮像素子それぞれで異なり、
上記複数の撮像素子による読取値を比較することにより、読取対象物に表された画像の属性を判定する場合に、複数の撮像素子のうち特定の正反射角に対応する角度で設置された特定撮像素子による読取値が特定撮像素子以外の撮像素子による読取値のうちの最大値より大きく、当該最大値と特定撮像素子による読取値との差が予め規定された差分値より大きく、特定撮像素子以外の撮像素子による読取値の差が所定範囲に収まらず、かつ、特定撮像素子以外の撮像素子による読取値は特定撮像素子とは逆側の隣に位置する他の撮像素子による読取値よりも大きい場合に、メタリック感を発現する画像と判定することを特徴とする読取方法。
【発明の詳細な説明】
【技術分野】
【０００１】
本発明は、読取装置および読取方法に関する。
【背景技術】
【０００２】
画像を読み取るためのスキャナーにおいては、原稿と撮像素子との相対位置を変化させながら、光源から原稿に光を照射し原稿からの反射光を撮像素子で受光することにより、原稿に表された画像を読み取る。一般的には、撮像素子は、ある固定された角度（光源から原稿への光の入射路に対して４５度）で反射光を受光するように設置されている。
【０００３】
スキャナーによる読取対象となる原稿としては、光沢の無い原稿や、光沢の有る原稿や、さらにはメタリック感の有る原稿など、様々な原稿が存在する。光沢の有る原稿としては、例えば、写真紙に印刷された写真や、用紙に光沢層を形成するためのクリアインクを用いて印刷された原稿などが該当する。また、メタリック感の有る原稿としては、金属顔料を含むメタリックインクを用いて印刷された原稿などが該当する。メタリックインクは、印刷結果において金属的な質感を生じさせるインクである（特許文献１参照。）。このようなメタリックインクの作用による質感（メタリック感）も、一種の光沢（特殊光沢）であると言える。
【先行技術文献】
【特許文献】
【０００４】
【特許文献１】特開２０１０‐５２２４７号公報
【発明の概要】
【発明が解決しようとする課題】
【０００５】
ここで、光沢の有る原稿やメタリック感の有る原稿を読み取る場合には、撮像素子の設置角度が問題となる（読取結果に影響を与える）ことがある。これは、光沢の有る原稿やメタリック感の有る原稿においては、原稿から光が反射するときの光量が全反射角において万遍ではなく、反射角によって異なるからである。よって、従来のように一つの角度で固定された撮像素子で原稿を読み取った場合、原稿の特徴を正しく読み取れないことがあり、結果、読み取りに応じて生成される画像データは必ずしも原稿に表現されている画像を正しく再現可能なデータであるとは限らなかった。また、このように生成された画像データに基づく印刷を行なった場合（原稿をコピーした場合）、コピー結果において原稿の特徴を忠実に再現できない、すなわち、原稿は光沢感やメタリック感のあるものであったがコピー結果では光沢感やメタリック感が再現されていない、ということがあった。
【０００６】
本発明は上記課題の少なくとも一つを解決するためになされたものであり、読取対象物を複数の角度で読み取り可能な技術を提供する。また、読取対象物を読み取る際、その特殊性を含めた正確な情報を取得するための技術を提供する。
【課題を解決するための手段】
【０００７】
本発明の態様の一つは、光源から読取対象物に光を照射し、読取対象物からの反射光を撮像素子で受光することにより読取対象物を読み取り可能な読取装置であって、異なる位置に設置された複数の撮像素子を備え、当該複数の撮像素子は読取対象物の読み取り面に対してそれぞれ異なる角度で設置されている構成としてある。
本発明によれば、読取対象物の読み取り面に対して異なる角度で設置された複数の撮像素子それぞれによって読取対象物を読み取ることができる。また、かかる構成とすれば、原稿から様々な角度へ反射される光をそれぞれ受光できるため、読取対象物を正確に読み取る上で必要な情報を的確に得ることができる。
【０００８】
本発明の態様の一つとして、読取装置は、上記複数の撮像素子による読取値を比較することにより読取対象物に表された画像の属性を判定する判定部を備えるとしてもよい。
当該構成によれば、読取対象物に表された画像がどのような特徴（属性）を持ったものであるかを判定できる。
【０００９】
本発明の態様の一つとして、上記判定部は、上記画像の属性を画像の領域毎に判定するとしてもよい。
当該構成によれば、読取対象物の画像全体についての属性を判定するだけでなく、画像の個々の領域毎に、その属性を判定できる。ここで言う画像の「領域」とは、画像の一部範囲という意味であり、複数画素からなる領域であってもよいし、一画素単位であってもよい。
【００１０】
本発明の態様の一つとして、上記判定部は、上記撮像素子の読取対象物の読み取りにより生成された画像データに、上記判定の結果を示す情報を付加するとしてもよい。
当該構成によれば、判定された画像（或いは画像の領域毎）の属性を示す情報が読取対象物の読み取りにより生成された画像データに付加されるため、後に当該画像データに基づく出力（印刷など）を行なう際に、この付加された情報が参照されることで、読取対象物としての画像が忠実に再現される。
【００１１】
本発明の態様の一つとして、上記判定部は、複数の撮像素子のうち特定の角度で設置された特定撮像素子による読取値が特定撮像素子以外の撮像素子による読取値よりも突出して高く、かつ、特定撮像素子以外の撮像素子による読取値の差が所定範囲に収まる場合には、光沢性を有する画像と判定する。
当該構成によれば、読取対象物としての画像（或いは画像の各領域）が光沢性を有する画像であるか否かを判定できる。また、光沢性が有ると判定された場合には、その判定結果が画像データに付加されるため、後に当該画像データに基づく出力（印刷など）を行なう際に、この付加された情報が参照されることで、光沢性の有る画像を忠実に再現できる。
【００１２】
本発明の態様の一つとして、上記判定部は、複数の撮像素子のうち特定の角度で設置された特定撮像素子による読取値が特定撮像素子以外の撮像素子による読取値よりも突出して高く、かつ、複数の撮像素子による読取値が所定の変化態様にて変化している場合には、メタリック感を発現する画像と判定する。
当該構成によれば、読取対象物としての画像（或いは画像の各領域）がメタリック感を発現する画像であるか否かを判定できる。また、メタリック感が有ると判定された場合には、その判定結果が画像データに付加されるため、後に当該画像データに基づく出力（印刷など）を行なう際に、この付加された情報が参照されることで、メタリック感の有る画像を忠実に再現できる。
【００１３】
本発明の態様の一つとして、読取装置は、上記比較の結果、読取値に所定以上のばらつきがある場合に、所定の警告処理を実行する警告処理部を備えるとしてもよい。
当該構成によれば、正確に読み取りができない虞のある読取対象物については、ユーザーに対して警告を発することで、ユーザーに注意を促すことができる。
【００１４】
本発明にかかる技術的思想は、読取装置というカテゴリー以外にも、種々の形式で実現される。例えば、光源から読取対象物に光を照射し、読取対象物からの反射光を撮像素子で受光することにより読取対象物を読み取り可能な読取装置が実行する読取方法であって、異なる位置に設置された複数の撮像素子であって読取対象物の読み取り面に対してそれぞれ異なる角度で設置された複数の撮像素子により読取対象物を読み取る読取方法が把握できる。また、このような読取装置に、複数の撮像素子を用いた読み取りを実行させるプログラムの発明も把握できる。また、読取装置は、スキャナー単体としての装置であってもよいし、プリンターやコピー機やファクシミリ機など種々の装置としての機能（の一部あるいは全部）を併せ持った複合機であってもよい。
【図面の簡単な説明】
【００１５】
【図１】読取装置の構成の一部を概略的に示す図である。
【図２】読取装置の全体構成を概略的に示す図である。
【図３】読取制御処理を示すフローチャートである。
【図４】反射面の特徴と光の反射態様との関係性を例示する図である。
【図５】読取画像データの一部を模式的に例示する図である。
【発明を実施するための形態】
【００１６】
以下、図面を参照しながら本発明の実施形態を説明する。
１．装置構成
図１は、本実施形態にかかる読取装置１０の構成の一部を概略的に示している。読取装置１０においては、ガラス等で形成された原稿台Ｇに、読取対象物としての原稿Ｓが置かれる。原稿Ｓの上側は、図示しない蓋で覆われる。読取装置１０の筐体内では、原稿台Ｇ下方に撮像素子ユニット２０が配設されている。撮像素子ユニット２０は、光源２１と、複数の撮像素子２３ａ，２３ｂ，２３ｃ，２３ｄ，２３ｅを有する。光源２１は、例えばＬＥＤであり、原稿Ｓに光を照射する。複数の撮像素子２３ａ，２３ｂ，２３ｃ，２３ｄ，２３ｅは撮像素子ユニット２０内でそれぞれ異なる位置に配置され、原稿Ｓからの反射光を受光することにより原稿Ｓを読み取る。複数の撮像素子２３ａ，２３ｂ，２３ｃ，２３ｄ，２３ｅと原稿台Ｇとの間には複数のレンズ２２ａ，２２ｂ，２２ｃ，２２ｄ，２２ｅが設けられており、各撮像素子は、それぞれが対応するレンズで集約された光を受光する。
【００１７】
各撮像素子は、例えば、原稿台Ｇの範囲に略対応した読み取り可能範囲の幅方向（主走査方向。図１の紙面に垂直な方向。）に複数の画素（受光素子）を並べたリニアセンサーであり、受光素子で受光した光に対する光電変換および電気信号のＡ／Ｄ変換を経て、画素毎のデジタル値（ＲＧＢ値）を出力する。図に示すように、複数の撮像素子（および撮像素子に対応するレンズ）は、原稿Ｓの読み取り面（或いは原稿台Ｇの面）に対して各々異なる角度で設置されている。また、撮像素子ユニット２０は、原稿台Ｇの主走査方向に垂直な方向（副走査方向）へ、駆動機構３０（図２）により原稿台Ｇと平行に移動可能である。このように撮像素子ユニット２０を移動させながら各撮像素子２３ａ，２３ｂ，２３ｃ，２３ｄ，２３ｅで原稿Ｓを読み取ることにより、原稿Ｓを同時に複数の角度で読み取ることができる。
【００１８】
図１の例では、光源２１に最も近い撮像素子２３ａは、光源２１から原稿Ｓへの光の入射路（原稿Ｓへの入射角４５度であり、光源２１から原稿Ｓへの、想定される代表的な光路。）と撮像素子が向く方向とがなす角度が４５度となるように設置されている。また、他の撮像素子２３ｂ，２３ｃ，２３ｄ，２３ｅは、順に光源２１から遠い位置となっており、上記入射路とこれら撮像素子が向く方向とがなす角度は、光源２１から遠い撮像素子ほど大きい。また、複数の撮像素子２３ａ，２３ｂ，２３ｃ，２３ｄ，２３ｅのうち、特定の撮像素子（特定撮像素子。図１の例では、撮像素子２３ｃ。）は、光源２１との関係において正反射角の位置で反射光を受光できる角度で設置されている。つまり、上記入射路と原稿Ｓとがなす角度＝特定撮像素子が向く方向と原稿Ｓとがなす角度、となっている。
【００１９】
図２は、読取装置１０の全体構成を概略的に示している。ここでは、読取装置１０は、複合機の一種として例示されている。読取装置１０は、読取装置１０の各部を制御する制御部４０を備える。制御部４０は、ＣＰＵ４１、ＲＯＭ４２、ＲＡＭ４３等を有し、ＣＰＵ４１が、ＲＯＭ４２等に記憶されたプログラムデータに従った演算を、ＲＡＭ４３をワークエリアとして使用して実行することにより、例えば、読取制御部４０ａ、判定部４０ｂ、印刷制御部４０ｃ、警告処理部４０ｄ等の各機能を実現する。また、読取装置１０は、外部機器との通信のためのインターフェース（Ｉ／Ｆ）５０を備える。図２の例では、読取装置１０は、Ｉ／Ｆ５０を介してコンピューター９０と接続している。
【００２０】
読取装置１０はさらに、ハードディスクドライブ（ＨＤＤ）等で構成された記憶装置（記憶部６０）、プリンターエンジン７０、操作パネル８０等を備えるとしてもよい。プリンターエンジン７０は、印刷制御部４０ｃ等によって生成された印刷データに基づき印刷媒体へ印刷を行う印刷機構である。操作パネル８０は、例えば、液晶ディスプレー等で構成された表示部８１や、表示部８１上のタッチパネル、その他各種キーやボタンを備える。操作パネル８０は、タッチパネル、その他各種キーやボタンを介してユーザーからの指示を受け付け、また、必要な表示を表示部８１において適宜行う。読取装置１０の各構成要素は、バスを介して互いに接続されている。
【００２１】
読取制御部４０ａは、撮像素子ユニット２０および駆動機構３０を制御することにより、駆動機構３０に撮像素子ユニット２０を移動させ、かつ、各撮像素子により原稿Ｓの読み取りを実行させることにより、原稿Ｓの読取結果としての読取画像データ（画素毎にＲＧＢ値を有するデータ）を取得する。駆動機構３０は、撮像素子ユニット２０を移動させるためのモーターやキャリッジを備える。印刷制御部４０ｃは、読取制御部４０ａから出力（後述の図３のステップＳ２３０。）された読取画像データに基づいて印刷データを生成し、印刷データに基づいてプリンターエンジン７０に印刷を実行させる。この場合、印刷制御部４０ｃは、読取画像データに対する、ＲＧＢ表色系からインク表色系への色変換処理、色変換処理後のデータ（インク量データ）に対するハーフトーン処理、ハーフトーン処理後のデータ（ハーフトーンデータ）に対するラスタライズ処理等を実行することにより、原稿Ｓに表された画像に対応した印刷データを生成する。
【００２２】
読取制御部４０ａは、読取画像データを、記憶部６０に保存したり、Ｉ／Ｆ５０を介してコンピューター９０へ送信したりしてもよい。また、読取装置１０は、コンピューター９０によって駆動が制御されるとしてもよい。つまり、コンピューター９０にインストールされたスキャナー制御用のプログラム（ドライバー）によりコンピューター９０から送信されたコマンドに応じて、原稿Ｓの読み取りを実行し、読み取りにより読取制御部４０ａが出力した読取画像データに基づく印刷（コピー）を実行したり、読取画像データをコンピューター９０へ送信したりしてもよい。
【００２３】
なお上記では、原稿Ｓの位置を固定し、撮像素子ユニット２０を移動させることにより原稿Ｓの全体をスキャンする構成を示したが、読取装置１０は、撮像素子ユニット２０の位置を固定し、原稿Ｓを副走査方向へ搬送することで原稿Ｓがスキャンされる構成としてもよい。また、読取装置１０は、撮像素子ユニット２０を主走査方向において小型化し、撮像素子ユニット２０を主走査方向へキャリッジにより移動させる構成を採用してもよい。かかる構成とする場合、撮像素子ユニット２０を主走査方向に移動させる過程で原稿の１ライン分の画像を読み取り、かつ、１ライン分の読み取り後に副走査方向の読取解像度に応じたピッチで原稿Ｓ（又は撮像素子ユニット２０）を副走査方向に移動させることを繰り返すことで、原稿Ｓの全体をスキャンすることができる。
また、読取装置１０が有する撮像素子の数は図１に示した数（５個）に限られず、２個以上であれば様々な数を採用できる。
【００２４】
２．読取制御処理
図３は、制御部４０が実行する読取制御処理をフローチャートにより示している。ステップＳ２００では、読取制御部４０ａは、撮像素子ユニット２０および駆動機構３０を制御することにより、駆動機構３０に撮像素子ユニット２０を移動させ、かつ、各撮像素子２３ａ，２３ｂ，２３ｃ，２３ｄ，２３ｅに原稿Ｓを読み取らせる。この結果、各撮像素子２３ａ，２３ｂ，２３ｃ，２３ｄ，２３ｅそれぞれから読取画像データが判定部４０ｂに出力される。
【００２５】
ステップＳ２１０では、判定部４０ｂが、各撮像素子２３ａ，２３ｂ，２３ｃ，２３ｄ，２３ｅによる読取画像データを比較することにより、原稿Ｓに表された画像の属性を判定する。この場合、判定部４０ｂは、各撮像素子２３ａ，２３ｂ，２３ｃ，２３ｄ，２３ｅによる読取画像データを、画素が共通する値同士で比較する。比較に用いる値（読取値）は、ＲＧＢのうち特定の値であってもよいし、ＲＧＢを所定の比率で重み付け加算して得られる値（輝度）等であってもよい。つまり、図１に示したように撮像素子が５個ある場合、一つの画素についてステップＳ２１０で比較に用いられる読取値も５個である。
【００２６】
図４は、原稿Ｓの反射面の特徴と、反射面における光の反射態様との関係性を例示している。図４Ａ，４Ｂ，４Ｃではいずれも、入射光（入射角４５度）の光路を実線で例示し、反射光の一部の光路を鎖線で例示している。図４Ａに示すように、原稿Ｓの反射面が光沢（特殊光沢含む。）を有していない面（マットな質感の面）である場合、そのような面で反射する光は、全ての反射角方向にほぼ同じ光量となる。一方、図４Ｂに示すように、原稿Ｓの反射面が光沢（特殊光沢除く。）を有する面である場合、そのような面で反射する光は、正反射角の方向において突出した光量となり、それ以外の反射角方向ではほぼ同じ光量となる。また、図４Ｃに示すように、原稿Ｓの反射面がメタリックインクで印刷されているためにメタリック感（特殊光沢）を発現する場合、そのような面における反射光の光量は、正反射角の方向において突出し、それ以外の反射角方向では正反射角の方向の光量をピークとして滑らかに変化している。
【００２７】
そこで当該ステップＳ２１０では、判定部４０ｂは、判定対象とした画素についての撮像素子２３ａ，２３ｂ，２３ｃ，２３ｄ，２３ｅによる読取値を比較したとき、読取値の差（各撮像素子による読取値のうちの最大値と最小値との差）が予め規定された数値範囲に収まる場合には、判定対象とした画素は光沢（特殊光沢含む。）を有さない画像（属性＝非光沢）であると判定する。
【００２８】
一方、判定部４０ｂは、判定対象とした画素についての撮像素子２３ａ，２３ｂ，２３ｃ，２３ｄ，２３ｅによる読取値を比較したとき、正反射角に対応する特定撮像素子（撮像素子２３ｃ）による読取値が特定撮像素子以外の撮像素子（撮像素子２３ａ，２３ｂ，２３ｄ，２３ｅ）による読取値よりも突出して高く、かつ、特定撮像素子以外の撮像素子による読取値の差（特定撮像素子以外の撮像素子による読取値のうちの最大値と最小値との差）が上記予め規定された数値範囲に収まる場合には、判定対象とした画素は光沢（特殊光沢除く。）を有する画像（属性＝光沢）であると判定する。なお、特定撮像素子による読取値が特定撮像素子以外の撮像素子による読取値よりも突出して高いか否かは、例えば、特定撮像素子による読取値と、特定撮像素子以外の撮像素子による読取値のうちの最大値との差が、予め規定された差分値よりも大きいか否かにより判定できる。
【００２９】
また、判定部４０ｂは、判定対象とした画素についての撮像素子２３ａ，２３ｂ，２３ｃ，２３ｄ，２３ｅによる読取値を比較したとき、正反射角に対応する特定撮像素子（撮像素子２３ｃ）による読取値が特定撮像素子以外の撮像素子（撮像素子２３ａ，２３ｂ，２３ｄ，２３ｅ）による読取値よりも突出して高く、かつ、各撮像素子による読取値が所定の変化態様にて変化している場合には、判定対象とした画素はメタリック感（特殊光沢）を有する画像（属性＝特殊光沢）であると判定する。判定部４０ｂは、例えば、特定撮像素子以外の撮像素子による読取値の差が上記予め規定された数値範囲に収まらず、かつ、特定撮像素子以外の撮像素子については、その読取値が、特定撮像素子とは逆側の隣に位置する別の撮像素子（撮像素子２３ｂにとっては撮像素子２３ａ、撮像素子２３ｄにとっては撮像素子２３ｅ）による読取値よりも大きい場合に、各撮像素子による読取値が所定の変化態様であると判定する。
判定部４０ｂは、このような属性の判定を、読取画像データを構成する画素毎に実行する。
【００３０】
ステップＳ２２０では、判定部４０ｂは、読取画像データに対して、ステップＳ２１０で画素毎に判定した画像の属性を示す情報（属性情報）を付加する。属性情報の付加の対象となる読取画像データは、撮像素子ユニット２０による読取結果として当該読取制御処理の後に、種々の処理に提供されるデータであり、基本的には、複数の撮像素子のうちある一つの撮像素子による読取画像データが採用される。本実施形態では、撮像素子２３ａによる読取画像データに対して属性情報を付加するものとする。例えば、判定部４０ｂは、読取画像データのアルファチャンネルに属性情報を記録する。読取画像データは画素毎に、ＲＧＢチャンネルの情報（例えば各チャンネルは８ビット（２５６階調）の情報。）を有し、さらに一つのチャンネル（アルファチャンネル）を有し、判定部４０ｂは、当該アルファチャンネルに、その画素についての属性情報を記録する。言い換えると、判定部４０ｂは、属性情報の付加対象とする読取画像データを、アルファチャンネルを有する所定形式の画像ファイルに変換した上で、画素毎のアルファチャンネルに属性情報を記録する。なお本実施形態では、少なくとも属性が「光沢」または「特殊光沢」である画素について、それら属性を一義的に特定する属性情報を記録する。
【００３１】
ただし、属性情報の付加対象とする読取画像データは、全ての画素のＲＧＢチャンネルが上記一つの撮像素子（撮像素子２３ａ）による読取画像データであるとは限らない。これは、特にメタリック感の有る原稿については、反射光を受光する撮像素子の角度によっては、読取結果として殆ど色味が無い白や黒としての画像データしか得られない場合があるからである。そこで、判定部４０ｂは、属性が「特殊光沢」である画素については、各撮像素子２３ａ，２３ｂ，２３ｃ，２３ｄ，２３ｅによる読取結果としてのＲＧＢ値のうち、彩度が最も高いＲＧＢ値（原稿Ｓにおける色味を保持できているＲＧＢ値）を、そのＲＧＢチャンネルの情報として採用する。彩度の評価方法は特に限られず、例えば、ＲＧＢ値を所定の表色系変換式により機器非依存表色系のＬ*ａ*ｂ*値に変換して彩度を評価してもよいし、単純にＲＧＢ値の各要素の中での最大値と最小値との差分を彩度と見なして評価してもよい。
【００３２】
図５は、ステップＳ２２０の結果得られる読取画像データの一部を模式的に例示している。図５では、矩形で表された複数の画素のうちハッチングを記した画素は「特殊光沢」を示す属性情報が記録された画素であるとする。つまり、読取対象となった原稿Ｓの一部領域がメタリックインクを用いて印刷されていたために、当該一部領域に相当する各画素については、各撮像素子２３ａ，２３ｂ，２３ｃ，２３ｄ，２３ｅによる読取値を比較した結果、「特殊光沢」を示す属性情報が（アルファチャンネルに）記録された。また、図５の例では、当該一部領域に相当する画素以外の画素では、ＲＧＢチャンネルの情報として撮像素子２３ａに読み取られたＲＧＢ値（Ｒ１，Ｇ１，Ｂ１）がそのまま採用されているが、当該一部領域に相当する画素では、ＲＧＢチャンネルの情報として、各撮像素子２３ａ，２３ｂ，２３ｃ，２３ｄ，２３ｅによるＲＧＢ値のうち彩度が最も高かったＲＧＢ値（例えば、撮像素子２３ｂによるＲ２，Ｇ２，Ｂ２）が採用されている。なお図５では、アルファチャンネルについては記載を省略している。
【００３３】
ステップＳ２３０では、読取制御部４０ａは、ステップＳ２２０までの処理により得られた属性情報付きの読取画像データ（画像ファイル）を出力する。ここで言う出力とは、印刷制御部４０ｃへの出力や、記憶部６０への出力や、Ｉ／Ｆ５０を介してのコンピューター９０への出力である。つまり、操作パネル８０を介しての指示やコンピューター９０からの指示（原稿Ｓのコピー指示や、スキャン結果の読取装置１０内への保存指示や、スキャン結果のコンピューター９０内への保存指示）によって、属性情報付きの読取画像データの出力先が決められている。
【００３４】
このように本実施形態によれば、読取装置１０は、光源２１と、複数の撮像素子であって原稿Ｓの読み取り面に対してそれぞれ異なる角度で設置された撮像素子２３ａ，２３ｂ，２３ｃ，２３ｄ，２３ｅと、を有する撮像素子ユニット２０を備える。そして、撮像素子ユニット２０と原稿Ｓとの相対位置を変化させながら各撮像素子を駆動させることにより、複数の撮像素子により同時に原稿Ｓを読み取ることができる。つまり、原稿Ｓから様々な角度へ反射される反射光を設置角度が異なる各撮像素子により受光できるため、原稿Ｓを正確に読み取る上で必要な情報を的確に得ることができる。
【００３５】
特に、従来の一つの角度で設置された撮像素子による読取方法では、原稿Ｓに光沢やメタリック感を有する領域があるか否か（原稿Ｓのどの領域が光沢やメタリック感を有するか）を判定することが困難であった。しかし本実施形態によれば、原稿Ｓに対して異なる角度で設置された複数の撮像素子それぞれで原稿Ｓを読み取り、それぞれの読取結果を比較することで、上記判定が可能となった。また、上記判定が可能となったことで、ステップＳ２３０で読取制御部４０ａが出力する読取画像データには、光沢やメタリック感に関する情報（属性情報）が付加される。そのため、このような属性情報を有する読取画像データに基づく印刷を後に実行する場合、「光沢」の属性情報を有する領域については、例えばクリアインクを用いた印刷を実行したり、「特殊光沢」の属性情報を有する領域については、例えばメタリックインクを用いた印刷を実行したりすることで、読取対象とした原稿Ｓと同等の質感をコピー結果において的確に表現することができる。また、このような属性情報を有する読取画像データに基づく画像を所定のディスプレーに表示する場合、「光沢」や「特殊光沢」の属性情報を有する領域については、その属性情報に応じて適切な画像処理（データ加工）を行なうことで、ディスプレー上でも読取対象とした原稿Ｓと同等の質感を表現することができる。
【００３６】
３．変形例
本発明は上述の実施形態に限られるものではなく、その要旨を逸脱しない範囲において種々の態様において実施することが可能であり、例えば以下のような各変形例も可能である。上述の実施形態や各変形例を組み合わせた内容も、本発明の開示範囲である。
【００３７】
変形例１：
上記読取制御処理においては、複数の撮像素子による読取値を比較し、読取値に所定以上のばらつきがある場合に、所定の警告処理を実行するとしてもよい。例えば、判定部４０ｂは、ステップＳ２１０（図３）において、各撮像素子２３ａ，２３ｂ，２３ｃ，２３ｄ，２３ｅによる読取画像データを画素単位で比較し、対象とした画素についての撮像素子２３ａ，２３ｂ，２３ｃ，２３ｄ，２３ｅによる読取値を比較したとき、読取値の差（各撮像素子による読取値のうちの最大値と最小値との差）が予め規定された数値範囲に収まらない場合には、通常の画像ではないと判定する。ここでいう通常の画像とは非光沢な画像であり、撮像素子の設置角度によらずその色味を正確に読み取り可能な画像である。光沢やメタリック感を有する画素は、通常の画像とは判定されない。判定部４０ｂは、通常の画像ではないと判定した場合には、警告処理部４０ｄに警告処理を実行させる。警告処理部４０ｄは、操作パネル８０の表示部８１（あるいはコンピューター９０のディスプレー）に所定の警告文を表示させる。例えば、読取対象となっている原稿Ｓは正常に読み取りができない（可能性のある）原稿である旨をメッセージにより表示する。
【００３８】
このような変形例１によれば、ユーザーは、上記警告が表示された場合に、読取対象とした原稿Ｓのスキャンを中止するか否かを判断することができる。例えば、ユーザーは、上記警告とともに表示部８１（あるいはコンピューター９０のディスプレー）に表示された「続行」または「中止」のいずれかのボタンを操作することで、スキャンの続行か中止かを選択できる。「続行」が選択された場合には、上記ステップＳ２１０以降の処理が続行され、「中止」が選択された場合には、その時点で図３の処理が中止される。
【００３９】
変形例２：
上記ステップＳ２１０で判定した画像の属性を保存する領域は、上述したアルファチャンネルに限られない。例えば、判定部４０ｂは、属性情報の付加対象とする読取画像データをＪＰＥＧ形式の画像ファイルに変換するとともに、このファイルにおけるメーカーノートと呼ばれる情報領域に、画素毎の属性情報を記録するとしてもよい。
【００４０】
変形例３：
本明細書において「インク」とは、液状のインクに限らず、レーザープリンターに用いられるトナーも含む広い意味で使用されている。このような「インク」の広い意味を有する他の用語としては「色材」や「着色材」、「着色剤」等を用いることも可能である。
【符号の説明】
【００４１】
１０…読取装置、２０…撮像素子ユニット、２１…光源、２３ａ，２３ｂ，２３ｃ，２３ｄ，２３ｅ…撮像素子、４０…制御部、４０ａ…読取制御部、４０ｂ…判定部、４０ｃ…印刷制御部、４０ｄ…警告処理部、４１…ＣＰＵ、４２…ＲＯＭ、４３…ＲＡＭ、８１…表示部、９０…コンピューター
【図１】
0005760562.tif 000002
【図２】
0005760562.tif 000003
【図３】
0005760562.tif 000004
【図４】
0005760562.tif 000005
【図５】
0005760562.tif 000006